(57)【要約】  可撓性回路、吸収製品、および処理ユニットを備える健康モニタリングデバイスのシステムおよび方法が開示される。可撓性回路は、電気化学バイオセンサ、カラーセンサ、ＬＥＤ、および、水分センサを備える。電気化学バイオセンサは複数の参照電極を備える。処理ユニットは、ＧＰＳアンテナ、電力ユニット、ブルートゥース低エネルギー送受信機、ＧＰＳ送受信機、マイクロコントローラ、および加速度計を備える。処理ユニットは可撓性回路に電子的に結合される。方法は、健康データを健康モニタリングデバイスから取得することと、健康データをメモリユニット上に記録することと、健康データをデータ通信デバイスに送信することと、データ通信デバイス上で健康データを表示することとを含む。【選択図】図１
2020533151.tif 000002
【特許請求の範囲】
【請求項１】
健康モニタリングデバイスであって、
可撓性回路であって、
複数の参照電極を備える電気化学バイオセンサ、
カラーセンサ、ＬＥＤ、および、
水分センサを備える、可撓性回路と、
吸収製品と、
処理ユニットであって、
ＧＰＳアンテナ、
電力ユニット、
ブルートゥース低エネルギー送受信機、ＧＰＳ送受信機、
マイクロコントローラ、および、加速度計を備える処理ユニットと
を備え、前記処理ユニットは前記可撓性回路に電子的に結合される、健康モニタリングデバイス。
【請求項２】
前記可撓性回路は、温度センサ、
湿度センサ、および、心拍数センサをさらに備える、請求項１に記載の健康モニタリングデバイス。
【請求項３】
前記処理ユニットは、温度センサ、
湿度センサ、および、
心拍数センサをさらに備える、請求項１に記載の健康モニタリングデバイス。
【請求項４】
前記複数の参照電極のそれぞれは、アルブミン、アスコルビン酸、ビリルビン、血液、クレアチン、グルコース、ヘモグロビン、ケトン、白血球、微量アルブミン、ミオグロビン、亜硝酸塩、ｐＨ、タンパク質、比重、尿素、尿酸、ウロビリノーゲン、ビタミン、およびその組み合わせからなる群から選択される検査対象を検出する、請求項２または３に記載の健康モニタリングデバイス。
【請求項５】
データ通信デバイスをさらに備える、請求項４に記載の健康モニタリングデバイス。
【請求項６】
前記処理ユニットは入力／出力デバイス接続ポートをさらに備え、前記入力／出力デバイス接続ポートは２次モニタリングデバイスを前記処理ユニットに電子的に結合させる、請求項５に記載の健康モニタリングデバイス。
【請求項７】
前記２次モニタリングデバイスは、パルスオキシメーター、血圧モニター、血糖値計、血液凝固計、血中酸素モニター、体温計、無呼吸モニター、心電図モニター、胎児モニター、ヘモグロビントラッカー、呼気分析器、カプノグラフィモニター、フィットネスモニター、歩数計、医療モニター、バイタルサインモニター、心臓モニター、血行力学モニター、呼吸モニター、神経学的モニター、体温モニター、心拍数モニター、呼吸数モニター、ストレスモニター、セロトニンバイオセンサ、てんかんモニター、毒性モニター、水銀モニター、鉛モニター、バイオセンサ、電気化学バイオセンサ、水分センサ、温度センサ、湿度センサ、カラーセンサ、心拍数センサ、加速度計、およびその組み合わせからなる群から選択される、請求項６に記載の健康モニタリングデバイス。
【請求項８】
前記２次モニタリングデバイスは血中酸素モニターである、請求項７に記載の健康モニタリングデバイス。
【請求項９】
前記可撓性回路および前記処理ユニットは再使用可能であり、健康モニタリングデバイスは、前記可撓性回路および前記処理ユニットを前記吸収製品に付着させる接着手段をさらに備える、請求項８に記載の健康モニタリングデバイス。
【請求項１０】
前記可撓性回路および前記処理ユニットは使い捨て可能である、請求項８に記載の健康モニタリングデバイス。
【請求項１１】
前記可撓性回路は前記吸収製品と一体形成される、請求項１０に記載の健康モニタリングデバイス。
【請求項１２】
健康モニタリングデバイスであって、
可撓性回路であって、
複数の参照電極を備える電気化学バイオセンサ、
カラーセンサ、ＬＥＤ、および、
水分センサを備える、可撓性回路と、
吸収製品と、
処理ユニットであって、
ＧＰＳアンテナ、
電力ユニット、
ブルートゥース低エネルギー送受信機、ＧＰＳ送受信機、
マイクロプロセッサ、ＲＯＭチップ、
ＲＡＭチップ、
アナログ・デジタル変換器、デジタル・アナログ変換器、シリアル周辺インタフェース、
ユニバーサル非同期受信機／送信機、電力調節器、および、
加速度計を備える、処理ユニットと、
を備え、前記処理ユニットは前記可撓性回路に電子的に結合される、健康モニタリングデバイス。
【請求項１３】
前記可撓性回路は、温度センサ、
湿度センサ、および、心拍数センサをさらに備える、請求項１２に記載の健康モニタリングデバイス。
【請求項１４】
前記処理ユニットは、温度センサ、湿度センサ、および、心拍数センサをさらに備える、請求項１２に記載の健康モニタリングデバイス。
【請求項１５】
前記複数の参照電極のそれぞれは、アルブミン、アスコルビン酸、ビリルビン、血液、クレアチン、グルコース、ヘモグロビン、ケトン、白血球、微量アルブミン、ミオグロビン、亜硝酸塩、ｐＨ、タンパク質、比重、尿素、尿酸、ウロビリノーゲン、ビタミン、およびその組み合わせからなる群から選択される検査対象を検出する、請求項１３または１４に記載の健康モニタリングデバイス。
【請求項１６】
データ通信デバイスをさらに備える、請求項１５に記載の健康モニタリングデバイス。
【請求項１７】
前記処理ユニットは入力／出力デバイス接続ポートをさらに備え、前記入力／出力デバイス接続ポートは２次モニタリングデバイスを前記処理ユニットに電子的に結合させる、請求項１６に記載の健康モニタリングデバイス。
【請求項１８】
前記２次モニタリングデバイスは、パルスオキシメーター、血圧モニター、血糖値計、血液凝固計、血中酸素モニター、体温計、無呼吸モニター、心電図モニター、胎児モニター、ヘモグロビントラッカー、呼気分析器、カプノグラフィモニター、フィットネスモニター、歩数計、医療モニター、バイタルサインモニター、心臓モニター、血行力学モニター、呼吸モニター、神経学的モニター、体温モニター、心拍数モニター、呼吸数モニター、ストレスモニター、セロトニンバイオセンサ、てんかんモニター、毒性モニター、水銀モニター、鉛モニター、バイオセンサ、電気化学バイオセンサ、水分センサ、温度センサ、湿度センサ、カラーセンサ、心拍数センサ、加速度計、およびその組み合わせからなる群から選択される、請求項１７に記載の健康モニタリングデバイス。
【請求項１９】
前記２次モニタリングデバイスは血中酸素モニターである、請求項１８に記載の健康モニタリングデバイス。
【請求項２０】
前記可撓性回路および前記処理ユニットは再使用可能であり、健康モニタリングデバイスは、前記可撓性回路および前記処理ユニットを前記吸収製品に付着させる接着手段をさらに備える、請求項１９に記載の健康モニタリングデバイス。
【請求項２１】
前記可撓性回路および前記処理ユニットは使い捨て可能である、請求項１９に記載の健康モニタリングデバイス。
【請求項２２】
前記可撓性回路は前記吸収製品と一体形成される、請求項２１に記載の健康モニタリングデバイス。
【請求項２３】
少なくとも１つのプロセッサユニットと、
前記少なくとも１つのプロセッサユニットに結合された少なくとも１つのメモリユニットと、
前記メモリにおいて具現化され、前記プロセッサユニットによって実行可能なコンピュータ可読命令と、
を備えるコンピュータシステムであって、
前記プロセッサユニットによる前記命令の実行は、健康モニタリングデバイスのユーザーの健康をモニターする方法を、コンピューティングシステムに実施させ、前記方法は、
健康モニタリングデバイスから健康データを取得することであって、前記健康モニタリングデバイスは、
可撓性回路であって、
複数の参照電極を備える電気化学バイオセンサ、
カラーセンサ、
ＬＥＤ、および、
水分センサを備える、可撓性回路と、
吸収製品と、
処理ユニットであって、
ＧＰＳアンテナ、
電力ユニット、
ブルートゥース低エネルギー送受信機、ＧＰＳ送受信機、
マイクロコントローラ、および、加速度計を備える、処理ユニットと、
を備え、前記処理ユニットは前記可撓性回路に電子的に結合される、健康モニタリングデバイスから健康データを取得することと、前記健康データを前記メモリユニット上に記録することと、前記健康データをデータ通信デバイスに送信することと、前記データ通信デバイス上で前記健康データを表示することとを含む、コンピュータシステム。
【請求項２４】
前記可撓性回路は、温度センサ、
湿度センサ、および、心拍数センサをさらに備える、請求項２３に記載のコンピュータシステム。
【請求項２５】
前記処理ユニットは、温度センサ、
湿度センサ、および、心拍数センサをさらに備える、請求項２３に記載のコンピュータシステム。
【請求項２６】
前記健康モニタリングデバイスは血中酸素モニターをさらに備え、前記血中酸素モニターは前記可撓性回路に電子的に結合される、請求項２４または２５に記載のコンピュータシステム。
【請求項２７】
前記健康データを前記取得すること、前記記録すること、前記送信すること、および前記表示することは、規則的な所定の間隔で繰り返し実施される、請求項２６に記載のコンピュータシステム。
【請求項２８】
前記方法は、前記健康データが所定のレベルから外れる場合、警報を発することをさらに含む、請求項２７に記載のコンピュータシステム。
【請求項２９】
前記方法は、健康データの変化レートが所定のレートから外れる場合、警報を発することをさらに含む、請求項２７に記載のコンピュータシステム。
【請求項３０】
健康モニタリングデバイスのユーザーの健康をモニターする方法であって、
健康モニタリングデバイスであって、
可撓性回路であって、
複数の参照電極を備える電気化学バイオセンサ、
カラーセンサ、ＬＥＤ、および、
水分センサを備える、可撓性回路と、
吸収製品と、
処理ユニットであって、
ＧＰＳアンテナ、
電力ユニット、
ブルートゥース低エネルギー送受信機、ＧＰＳ送受信機、
マイクロコントローラ、および、
加速度計を備える、処理ユニットと、
を備え、前記処理ユニットは前記可撓性回路に電子的に結合される、健康モニタリングデバイスから健康データを取得することと、前記健康データを前記メモリユニット上に記録することと、前記健康データをデータ通信デバイスに送信することと、前記データ通信デバイス上で前記健康データを表示することとを含む、方法。
【請求項３１】
前記可撓性回路は、温度センサ、
湿度センサ、および、
心拍数センサをさらに備える、請求項３０に記載の方法。
【請求項３２】
前記処理ユニットは、温度センサ、
湿度センサ、および、心拍数センサをさらに備える、請求項３０に記載の方法。
【請求項３３】
前記健康モニタリングデバイスは血中酸素モニターをさらに備え、前記血中酸素モニターは前記可撓性回路に電子的に結合される、請求項３１または３２に記載の方法。
【請求項３４】
前記健康データを前記取得すること、前記記録すること、前記送信すること、および前記表示することは、規則的な所定の間隔で繰り返し実施される、請求項３３に記載の方法。
【請求項３５】
前記方法は、前記健康データが所定のレベルから外れる場合、警報を発することをさらに含む、請求項３４に記載の方法。
【請求項３６】
前記方法は、健康データの変化レートが所定のレートから外れる場合、警報を発することをさらに含む、請求項３４に記載の方法。
【請求項３７】
非一過性コンピュータ可読媒体であって、非一過性コンピュータ可読媒体において具現化されたコンピュータ可読命令を有し、前記コンピュータ可読命令は、実行されると、健康モニタリングデバイスのユーザーの健康をモニターする方法を実装するように構成され、前記方法は、
健康モニタリングデバイスであって、
可撓性回路であって、
複数の参照電極を備える電気化学バイオセンサ、
カラーセンサ、ＬＥＤ、および、
水分センサを備える、可撓性回路と、
吸収製品と、
処理ユニットであって、
ＧＰＳアンテナ、
電力ユニット、
ブルートゥース低エネルギー送受信機、
ＧＰＳ送受信機、
マイクロコントローラ、および、加速度計を備える、処理ユニットと、
を備え、前記処理ユニットは前記可撓性回路に電子的に結合される、健康モニタリングデバイスから健康データを取得することと、前記健康データを前記メモリユニット上に記録することと、前記健康データをデータ通信デバイスに送信することと、前記データ通信デバイス上で前記健康データを表示することとを含む、非一過性コンピュータ可読媒体。
【請求項３８】
前記可撓性回路は、
温度センサ、
湿度センサ、および、
心拍数センサをさらに備える、請求項３７に記載の非一過性コンピュータ可読媒体。
【請求項３９】
前記処理ユニットは、
温度センサ、
湿度センサ、および、心拍数センサをさらに備える、請求項３７に記載の非一過性コンピュータ可読媒体。
【請求項４０】
前記健康モニタリングデバイスは血中酸素モニターをさらに備え、前記血中酸素モニターは前記可撓性回路に電子的に結合される、請求項３８または３９に記載の非一過性コンピュータ可読媒体。
【請求項４１】
前記健康データを前記取得すること、前記記録すること、前記送信すること、および前記表示することは、規則的な所定の間隔で繰り返し実施される、請求項４０に記載の非一過性コンピュータ可読媒体。
【請求項４２】
前記方法は、前記健康データが所定のレベルから外れる場合、警報を発することをさらに含む、請求項４１に記載の非一過性コンピュータ可読媒体。
【請求項４３】
前記方法は、健康データの変化レートが所定のレートから外れる場合、警報を発することをさらに含む、請求項１１に記載の非一過性コンピュータ可読媒体。
【請求項４４】
個人の健康状態をモニターするためのコンピュータ実装式方法であって、
使い捨て可能物品の第１のセンサを使用して、事象の発生を検出することであって、前記事象は身体老廃物の排泄に対応する、検出することと、
事象の前記発生を検出することに応答して、前記第１のセンサと異なる前記使い捨て可能物品の第２のセンサを起動することと、
前記第２のセンサを使用して、前記身体老廃物に関連するカラー情報を取得(capture)することと、
前記取得したカラー情報に基づいて、複数の所定の事象タイプから事象タイプを識別することと、
前記識別された事象タイプを示す出力を提供することと
を含む、方法。
【請求項４５】
前記事象は、排尿、出血、月経、他の体液の排泄、排便、ガスの通過、または、その任意の組み合わせを含む、請求項４４に記載の方法。
【請求項４６】
前記身体老廃物は、尿、血液、他の体液、糞便、ガス、または、その任意の組み合わせを含む、請求項４４または４５に記載の方法。
【請求項４７】
前記第１のセンサは、水分センサ、湿度センサ、または両方を備える、請求項４４から４６のいずれか一項に記載の方法。
【請求項４８】
前記第２のセンサは、カラーセンサ、ＬＥＤユニット、またはその組み合わせを備える、請求項４４から４７のいずれか一項に記載の方法。
【請求項４９】
カラー情報を取得することは、前記使い捨て可能物品の一部分のカラー情報を取得することを含む、請求項４４から４８のいずれか一項に記載の方法。
【請求項５０】
カラー情報を取得することは、前記身体老廃物のカラー情報を取得することを含む、請求項４４から４９のいずれか一項に記載の方法。
【請求項５１】
前記使い捨て可能物品の電気化学バイオセンサを使用して、前記身体老廃物内の検査対象のレベルを検出することと、
前記身体老廃物内の前記検査対象のレベルに基づいて、複数の所定の状態のうちの１つの状態を決定することと、
前記決定された状態を示す出力を提供することと
をさらに含む、請求項４４から５０のいずれか一項に記載の方法。
【請求項５２】
温度センサを使用して、温度の読みを検出することと、
前記温度の読みに基づいて、複数の所定の状態のうちの１つの状態を決定することと、
前記決定された状態を示す出力を提供することと
をさらに含む、請求項４４から５１のいずれか一項に記載の方法。
【請求項５３】
前記使い捨て可能物品は心拍数モニターをさらに備える、請求項４４から５２のいずれか一項に記載の方法。
【請求項５４】
前記使い捨て可能物品は加速度計またはジャイロスコープをさらに備える、請求項４４から５３のいずれか一項に記載の方法。
【請求項５５】
１つまたは複数のプログラムを記憶する非一過性コンピュータ可読記憶媒体であって、前記１つまたは複数のプログラムは命令を含み、前記命令は、ディスプレイを有する電子デバイスの１つまたは複数のプロセッサによって実行されると、
使い捨て可能物品の第１のセンサを使用して、事象の発生を検出することであって、前記事象は身体老廃物の排泄に対応する、検出することと、
事象の前記発生を検出することに応答して、前記第１のセンサと異なる前記使い捨て可能物品の第２のセンサを起動することと、
前記第２のセンサを使用して、前記身体老廃物に関連するカラー情報を取得(capture)することと、
前記取得したカラー情報に基づいて、複数の所定の事象タイプから事象タイプを識別することと、
前記識別された事象タイプを示す出力を提供することと
を前記電子デバイスにさせる、非一過性コンピュータ可読記憶媒体。
【発明の詳細な説明】
【技術分野】
【０００１】
関連出願の相互参照
本出願は、２０１７年９月７日に出願された「ＳＹＳＴＥＭＳ  ＡＮＤ  ＭＥＴＨＯＤＳ  ＯＦ  Ａ  ＨＥＡＬＴＨ  ＭＯＮＩＴＯＲＩＮＧ  ＳＹＳＴＥＭ」という名称の米国仮特許出願第６２／５５５，５６３号に対して優先権を主張し、その内容は、全てについて参照により組み込まれる。
【背景技術】
【０００２】
本発明は、医用生体技術の専門分野に関する。より具体的には、本発明は、使い捨ておむつおよび非使い捨ておむつに取り付けられた、使い捨て医用生体センサおよびデジタル健康デバイスの技術分野に関する。従来のおむつは、湿ったおよび／または汚れたおむつの任意の段階に関して親、ユーザー、および介護者に警告を発しない。従来のおむつは、同様に、体液に含まれるいかなる医療情報についても収集、分析、処理、及び提供を行わない。
【発明の概要】
【０００３】
本発明の目的は、可撓性回路、吸収製品、および処理ユニットを備える健康モニタリングデバイスである。可撓性回路は、電気化学バイオセンサ、カラーセンサ、ＬＥＤ、および、水分センサを備える。電気化学バイオセンサは複数の参照電極を備える。処理ユニットは、ＧＰＳアンテナ、電力ユニット、ブルートゥース低エネルギー送受信機、ＧＰＳ送受信機、マイクロコントローラ、および加速度計を備える。処理ユニットは可撓性回路に電子的に結合される。
【０００４】
本発明の別の目的は、健康モニタリングデバイスであり、可撓性回路は、温度センサ、湿度センサ、および心拍数センサをさらに備える。
【０００５】
本発明のさらに別の目的は、健康モニタリングデバイスであり、処理ユニットは、温度センサ、湿度センサ、および、心拍数センサをさらに備える。
【０００６】
本発明の別の目的は、健康モニタリングデバイスであり、複数の参照電極のそれぞれは、アルブミン、アスコルビン酸、ビリルビン、血液、クレアチン、グルコース、ヘモグロビン、ケトン、白血球、微量アルブミン、ミオグロビン、亜硝酸塩、ｐＨ、タンパク質、比重、尿素、尿酸、ウロビリノーゲン、ビタミン、およびその組み合わせからなる群から選択される検査対象を検出する。
【０００７】
本発明のさらに別の目的は、データ通信デバイスをさらに備える健康モニタリングデバイスである。
【０００８】
本発明の別の目的は、健康モニタリングデバイスであり、処理ユニットは入力／出力デバイス接続ポートをさらに備え、入力／出力デバイス接続ポートは２次モニタリングデバイスを処理ユニットに電子的に結合させる。
【０００９】
本発明のさらに別の目的は、健康モニタリングデバイスであり、２次モニタリングデバイスは、パルスオキシメーター、血圧モニター、血糖値計、血液凝固計、血中酸素モニター、体温計、無呼吸モニター、心電図モニター、胎児モニター、ヘモグロビントラッカー、呼気分析器、カプノグラフィモニター、フィットネスモニター、歩数計、医療モニター、バイタルサインモニター、心臓モニター、血行力学モニター、呼吸モニター、神経学的モニター、体温モニター、心拍数モニター、呼吸数モニター、ストレスモニター、セロトニンバイオセンサ、てんかんモニター、毒性モニター、水銀モニター、鉛モニター、バイオセンサ、電気化学バイオセンサ、水分センサ、温度センサ、湿度センサ、カラーセンサ、心拍数センサ、加速度計、およびその組み合わせからなる群から選択される。
【００１０】
本発明の別の目的は、健康モニタリングデバイスであり、２次モニタリングデバイスは血中酸素モニターである。
【００１１】
本発明のさらに別の目的は、健康モニタリングデバイスであり、可撓性回路および処理ユニットは再使用可能であり、健康モニタリングデバイスは、可撓性回路および処理ユニットを吸収製品に付着させる接着手段をさらに備える。
【００１２】
本発明の別の目的は、健康モニタリングデバイスであり、可撓性回路および処理ユニットは使い捨て可能である。
【００１３】
本発明のさらに別の目的は、健康モニタリングデバイスであり、可撓性回路は吸収製品と一体形成される。
【００１４】
本発明の別の目的は、可撓性回路、吸収製品、および処理ユニットを備える健康モニタリングデバイスである。可撓性回路は、電気化学バイオセンサ、カラーセンサ、ＬＥＤ、および、水分センサを備える。電気化学バイオセンサは複数の参照電極を備える。処理ユニットは、ＧＰＳアンテナ、電力ユニット、ブルートゥース低エネルギー送受信機、ＧＰＳ送受信機、マイクロコントローラ、ＲＯＭチップ、ＲＡＭチップ、アナログ・デジタル変換器、デジタル・アナログ変換器、シリアル周辺インタフェース、ユニバーサル非同期受信機／送信機、電力調節器、および加速度計を備える。処理ユニットは可撓性回路に電子的に結合される。
【００１５】
本発明の別の目的は、コンピュータシステムであり、コンピュータシステムは、少なくとも１つのプロセッサユニット、少なくとも１つのプロセッサユニットに結合された少なくとも１つのメモリユニット、および、メモリにおいて具現化され、プロセッサユニットによって実行可能なコンピュータ可読命令を備え、プロセッサユニットによる命令の実行は、健康モニタリングデバイスのユーザーの健康をモニターする方法を、コンピューティングシステムに実施させる。方法は、健康モニタリングデバイスから健康データを取得することと、健康データをメモリユニット上に記録することと、健康データをデータ通信デバイスに送信することと、データ通信デバイス上で健康データを表示することとを含む。健康モニタリングデバイスは、可撓性回路、吸収製品、および処理ユニットを備える。可撓性回路は、電気化学バイオセンサ、カラーセンサ、ＬＥＤ、および、水分センサを備える。電気化学バイオセンサは複数の参照電極を備える。処理ユニットは、ＧＰＳアンテナ、電力ユニット、ブルートゥース低エネルギー送受信機、ＧＰＳ送受信機、マイクロコントローラ、および加速度計を備える。処理ユニットは可撓性回路に電子的に結合される。
【００１６】
本発明のさらに別の目的は、コンピュータシステムであり、健康モニタリングデバイスは血中酸素モニターをさらに備え、血中酸素モニターは可撓性回路に電子的に結合される。
【００１７】
本発明の別の目的は、コンピュータシステムであり、健康データを取得すること、記録すること、送信すること、および表示することは、規則的な所定の間隔で繰り返し実施される。
【００１８】
本発明のさらに別の目的は、コンピュータシステムであり、方法は、健康データが所定のレベルから外れる場合、警報を発することをさらに含む。
【００１９】
本発明の別の目的は、コンピュータシステムであり、方法は、健康データの変化レートが所定のレートから外れる場合、警報を発することをさらに含む。
【００２０】
本発明の別の目的は、健康モニタリングデバイスのユーザーの健康をモニターする方法であり、方法は、健康モニタリングデバイスから健康データを取得することと、健康データをメモリユニット上に記録することと、健康データをデータ通信デバイスに送信することと、データ通信デバイス上で健康データを表示することとを含む。健康モニタリングデバイスは、可撓性回路、吸収製品、および処理ユニットを備える。可撓性回路は、電気化学バイオセンサ、カラーセンサ、ＬＥＤ、および、水分センサを備える。電気化学バイオセンサは複数の参照電極を備える。処理ユニットは、ＧＰＳアンテナ、電力ユニット、ブルートゥース低エネルギー送受信機、ＧＰＳ送受信機、マイクロコントローラ、および加速度計を備える。処理ユニットは可撓性回路に電子的に結合される。
【００２１】
本発明のさらに別の目的は、健康モニタリングデバイスのユーザーの健康をモニターする方法であり、健康モニタリングデバイスは血中酸素モニターをさらに備え、血中酸素モニターは可撓性回路に電子的に結合される。
【００２２】
本発明の別の目的は、健康モニタリングデバイスのユーザーの健康をモニターする方法であり、健康データを取得すること、記録すること、送信すること、および表示することは、規則的な所定の間隔で繰り返し実施される。
【００２３】
本発明のさらに別の目的は、健康モニタリングデバイスのユーザーの健康をモニターする方法であり、方法は、健康データが所定のレベルから外れる場合、警報を発することをさらに含む。
【００２４】
本発明の別の目的は、健康モニタリングデバイスのユーザーの健康をモニターする方法であり、方法は、健康データの変化レートが所定のレートから外れる場合、警報を発することをさらに含む。
【００２５】
本発明の別の目的は、非一過性コンピュータ可読媒体であり、非一過性コンピュータ可読媒体は、非一過性コンピュータ可読媒体において具現化されたコンピュータ可読命令を有し、コンピュータ可読命令は、実行されると、健康モニタリングデバイスのユーザーの健康をモニターする方法を実装するように構成され、方法は、健康モニタリングデバイスから健康データを取得することと、健康データをメモリユニット上に記録することと、健康データをデータ通信デバイスに送信することと、データ通信デバイス上で健康データを表示することとを含む。健康モニタリングデバイスは、可撓性回路、吸収製品、および処理ユニットを備える。可撓性回路は、電気化学バイオセンサ、カラーセンサ、ＬＥＤ、および、水分センサを備える。電気化学バイオセンサは複数の参照電極を備える。処理ユニットは、ＧＰＳアンテナ、電力ユニット、ブルートゥース低エネルギー送受信機、ＧＰＳ送受信機、マイクロコントローラ、および加速度計を備える。処理ユニットは可撓性回路に電子的に結合される。
【００２６】
本発明のさらに別の目的は、非一過性コンピュータ可読媒体であり、健康モニタリングデバイスは血中酸素モニターをさらに備え、血中酸素モニターは可撓性回路に電子的に結合される。
【００２７】
本発明の別の目的は、非一過性コンピュータ可読媒体であり、健康データを取得すること、記録すること、送信すること、および表示することは、規則的な所定の間隔で繰り返し実施される。
【００２８】
本発明のさらに別の目的は、非一過性コンピュータ可読媒体であり、方法は、健康データが所定のレベルから外れる場合、警報を発することをさらに含む。
【００２９】
本発明の別の目的は、非一過性コンピュータ可読媒体であり、方法は、健康データの変化レートが所定のレートから外れる場合、警報を発することをさらに含む。
【００３０】
本発明の利点および特徴は、以下の説明が添付図面と共に読まれるにつれてよりよく理解される。
【図面の簡単な説明】
【００３１】
【図１】本発明の一実施形態による斜視図である。
【図２】本発明の電力ユニット、処理ユニット、および可撓性回路の一実施形態を示す図である。
【図３】本発明の電気化学バイオセンサの一実施形態を示す図である。
【図４Ａ】本発明の処理ユニットの一実施形態を示す図である。
【図４Ｂ】本発明の処理ユニットの一実施形態を示す図である。
【図５】本発明の吸収製品と一体形成された可撓性回路の一実施形態を示す図である。
【図６】本発明の方法のうちの１つの方法の一実施形態を示す図である。
【発明を実施するための形態】
【００３２】
図は本発明の種々の実施形態を示す。図１に示すように、健康モニタリングデバイス１００は、可撓性回路１２０、吸収製品１１０、および処理ユニット１６０を備える。可撓性回路１２０は、電気化学バイオセンサ１２１、カラーセンサ１２２、ＬＥＤ１５０、および、水分センサ１２３を備える。
【００３３】
図３に示すように、電気化学バイオセンサ１２１は複数の参照電極１２１ａを備える。複数の参照電極１２１ａは、アルブミン、アスコルビン酸、ビリルビン、血液、クレアチン、グルコース、ヘモグロビン、ケトン、白血球、微量アルブミン、ミオグロビン、亜硝酸塩、ｐＨ、タンパク質、比重、尿素、尿酸、ウロビリノーゲン、ビタミン、およびその組み合わせからなる群から選択される検査対象を検出する。
【００３４】
図４Ａおよび図４Ｂに示すように、処理ユニット１６０は、ＧＰＳアンテナ１４０、電力ユニット１３５、ブルートゥース低エネルギー送受信機１６１、ＧＰＳ送受信機１６３、マイクロコントローラ１６４、および、加速度計１６５を備える。処理ユニット１６０は可撓性回路１２０に電子的に結合される。幾つかの実施形態において、処理ユニット１６０は、可撓性回路１２０のセンサと無線通信することができる。ブルートゥース低エネルギーは、より低い放射曝露を有するため、ユーザーの安全にとって好ましい。
【００３５】
幾つかの実施形態において、可撓性回路１２０は、温度センサ１２４、湿度センサ１２５、および心拍数センサ１３０をさらに備える。
【００３６】
幾つかの実施形態において、処理ユニット１６０は、温度センサ１２４、湿度センサ１２５、および心拍数センサ１３０をさらに備える。
【００３７】
幾つかの実施形態において、健康モニタリングデバイス１００はデータ通信デバイス１７０をさらに備えることができる。データ通信デバイスは、携帯電話、スマートフォン、パーソナルコンピュータ、ラップトップコンピュータ、タブレットコンピュータ、または、健康モニタリングデバイス１００からのデータを受信する専用デバイスなどの有線および無線コンピューティングデバイスを含む。
【００３８】
幾つかの実施形態において、健康モニタリングデバイス１００は、入力／出力デバイス接続ポートをさらに備えることができ、入力／出力デバイス接続ポート１８０は２次モニタリングデバイス１８１を処理ユニット１６０に電子的に結合させる。ＵＳＢ、マイクロＵＳＢ、ピンコネクタ、当業者に知られている他の知られている電気結合コネクタ、またはその組み合わせを利用するケーブルは、２次モニタリングデバイス１８１を処理ユニット１６０に電子的に結合させるために使用することができる。２次モニタリングデバイス１８１の例はパルスオキシメーター１８１ａである。代替の実施形態において、２次モニタリングデバイス１８１は、処理ユニット１６０と通信するためにケーブルを使用せず、代わりに、２次モニタリングデバイス１８１は、処理ユニット１６０と無線で(例えば、ブルートゥースによって)通信する。無線通信の多くの利点の中の１つの利点は、ユーザーの快適さに干渉するワイヤおよびケーブルを持っていないことである。無線通信の別の利点は、本発明が、多数の２次モニタリングデバイス１８１を利用することができ、また、利用可能な入力／出力デバイス接続ポート１８０の数に制限されないことである。
【００３９】
他の２次モニタリングデバイス１８１は、血圧モニター、血糖値計、血液凝固計、血中酸素モニター、体温計、無呼吸モニター、心電図モニター、胎児モニター、ヘモグロビントラッカー、呼気分析器、カプノグラフィモニター、フィットネスモニター、歩数計、医療モニター、バイタルサインモニター、心臓モニター、血行力学モニター、呼吸モニター、神経学的モニター、体温モニター、心拍数モニター、呼吸数モニター、ストレスモニター、セロトニンバイオセンサ、てんかんモニター、毒性モニター、水銀モニター、鉛モニター、バイオセンサ、電気化学バイオセンサ、水分センサ、温度センサ、湿度センサ、カラーセンサ、心拍数センサ、加速度計、およびその組み合わせを含むが、それに限定されない。
【００４０】
幾つかの実施形態において、２次モニタリングデバイス１８１は血中酸素モニター１９０である。血中酸素モニター１９０は処理ユニット１６０に電子的に結合される。
【００４１】
幾つかの実施形態において、可撓性回路要素１２０および処理ユニット１６０（電気化学バイオセンサ１２１、カラーセンサ１２２、ＬＥＤ１５０、水分センサ１２３、ＧＰＳアンテナ１４０、電力ユニット１３５、ブルートゥース低エネルギー送受信機１６１、ＧＰＳ送受信機１６３、マイクロコントローラ１６４、加速度計１６５、マイクロプロセッサ１６６、ＲＯＭチップ１６６ａ、ＲＡＭチップ１６６ｂ、アナログ・デジタル変換器１６６ｃ、デジタル・アナログ変換器１６６ｄ、シリアル周辺インタフェース１６６ｅ、ユニバーサル非同期受信機／送信機１６６ｆ、電力調節器１６６ｇ、温度センサ１２４、湿度センサ１２５、および心拍数センサ１３０を含む）は再使用可能である。健康モニタリングデバイス１００は、可撓性回路１２０および処理ユニット１６０を吸収製品１１０に付着させる接着手段をさらに備える。接着手段は、接着テープ、ベルクロ、クリップ、ピン、接着剤、および、その組み合わせを含むが、それに限定されない。幾つかの実施形態において、可撓性回路１２０および処理ユニット１６０およびそれらのコンポーネントは防水である。水分センサ１２３、湿度センサ１２５、および電気化学センサ１２１に関して、これらのコンポーネントは、コンポーネントが尿、血液、糞便、月経、またはその組み合わせからの検査対象を受け取る場合を除いて防水である。
【００４２】
他の実施形態において、可撓性回路１２０および処理ユニット１６０は使い捨て可能である。そのような実施形態において、可撓性回路１２０および処理ユニット１６０は吸収製品と一体形成することができる。図５に示すように、水分センサ１２３、カラーセンサ１２２、および電気化学バイオセンサ１２１（他の使い捨て可能コンポーネントは明確にするために示されない）は、吸収製品１１０の層の間に挿入される。
【００４３】
例えば、図５は、防水層１１１、特別な吸収層１１２、および吸水性ライナー１１３を含む吸収製品１１０の例を示す。コンポーネントは、特別な吸収層１１２と吸水性ライナー１１３との間に挿入されることになる。図５に示す吸収製品１１０は、例証のためのものであり、本発明は、示す構成を有する吸収製品に限定されない。幾つかの実施形態において、カラーセンサ１２２は、特別な吸収層１１２、吸水性ライナー１１３、または両方に対する（尿、血液、糞便、月経、またはその組み合わせによる）カラー変化を検出することができる。例えば、本発明は、事象（排尿、出血、排便、月経、またはその組み合わせ）の発生が起こったことを介護者に通知することができる。ユーザーが事象を有する場合、水分センサ１２３、湿度センサ１２５、または両方が起動される。起動は、事象が起こったことを介護者に示すであろう。水分センサ１２３、湿度センサ１２５、または両方が起動された後に、カラーセンサ１２２およびＬＥＤ１５０は、汚れた特別な吸収層１１２、吸水性ライナー１１３、または両方のカラーを取得するために起動するようトリガーされる。検出されたカラーは、その事象が、排尿か、出血か、排便か、月経か、またはその組み合わせかを介護者に知らせるであろう。
【００４４】
幾つかの実施形態において、健康モニタリングデバイス１００の処理ユニット１６０は、マイクロコントローラ１６４の代わりにまたはそれに加えて、図４Ａおよび図４Ｂに示すように、マイクロプロセッサ１６６、ＲＯＭチップ１６６ａ、ＲＡＭチップ１６６ｂ、アナログ・デジタル変換器１６６ｃ、デジタル・アナログ変換器１６６ｄ、シリアル周辺インタフェース１６６ｅ、ユニバーサル非同期受信機／送信機１６６ｆ、および電力調節器１６６ｇを備える。
【００４５】
本発明の他の実施形態において、コンピュータシステムは、少なくとも１つのプロセッサユニット、少なくとも１つのプロセッサユニットに結合された少なくとも１つのメモリユニット、および、メモリにおいて具現化され、プロセッサユニットによって実行可能なコンピュータ可読命令を備え、プロセッサユニットによる命令の実行は、健康モニタリングデバイス１００のユーザーの健康をモニターする方法を、コンピューティングシステムに実施させる。図６に示す方法２００は、健康モニタリングデバイス１００から健康データを取得することと、健康データをメモリユニット上に記録することと、健康データをデータ通信デバイス１７０に送信することと、データ通信デバイス１７０上で健康データを表示することとを含む。
【００４６】
他の実施形態において、健康モニタリングデバイスのユーザーの健康をモニターする方法は、健康モニタリングデバイス１００から健康データを取得することと、健康データをメモリユニット上に記録することと、健康データをデータ通信デバイス１７０に送信することと、データ通信デバイス１７０上で健康データを表示することとを含む。
【００４７】
他の実施形態において、非一過性コンピュータ可読媒体は、非一過性コンピュータ可読媒体において具現化されたコンピュータ可読命令を有し、コンピュータ可読命令は、実行されると、健康モニタリングデバイスのユーザーの健康をモニターする方法を実装するように構成され、方法は、健康モニタリングデバイス１００から健康データを取得すること、健康データをメモリユニット上に記録すること、健康データをデータ通信デバイス１７０に送信すること、および、データ通信デバイス１７０上で健康データを表示することを含む。「非一過性コンピュータ可読媒体（Ｎｏｎ−ｔｒａｎｓｉｔｏｒｙ  ｃｏｍｐｕｔｅｒ  ｒｅａｄａｂｌｅ  ｍｅｄｉｕｍ）」は一過性信号を含まない場合がある。
【００４８】
幾つかの実施形態において、健康データを取得すること、記録すること、送信すること、および表示することは、規則的な所定の間隔で繰り返し実施される。
【００４９】
幾つかの実施形態において、方法２００は、健康データが所定のレベルから外れる場合、警報を発することをさらに含む。例えば、健康モニタリングデバイス１００は、吸収製品１１０が置き換えられる必要があることを健康モニタリングデバイスの介護者またはユーザーに通知するために、（それぞれ水分センサ１２３および湿度センサ１２５による）或る量の水分または湿気についての所定のレベルを持つように設計することができる。水分センサは、尿中の水の量を測定するために同様に利用することができる。例えば、水の量が通常より少ない場合、それは、尿中物質が多いことを示すことができ、水の量が通常より多い場合、それは、尿中物質が少ないことを示すことができる。別の例として体温を採用すると、通常の平均体温は、概して、華氏９８．６度である。１日を通して、体温は、通常、華氏９７．０〜９９．０度に及ぶであろう。所定のレベルを華氏９６．５〜９９．５度に設定することができる。結果として、体温が、華氏９６．５度を下回るまたは華氏９９．５度を上回る場合、介護者に警報が提供される。華氏１００．４度を超える体温は、しばしば、感染または病気によって引き起こされる熱を意味する。
【００５０】
幾つかの実施形態において、方法２００は、健康データの変化レートが所定のレートから外れる場合、警報を発することをさらに含む。やはり例として体温に関し、平均通常体温は、概して、華氏９８．６度である。１日を通して、体温は、通常、華氏９７．０〜９９．０度に及ぶであろう。所定のレートを、設定レート、例えば、＋／−華氏０．０１度／５分に規定することができる。結果として、体温の変化レートが、５分ごとに華氏０．０１度変化（増加または減少）する場合、介護者に警報が提供される。代替的に、所定のレートは、ユーザーの体温のユーザーの通常の変化レートを記録することによって規定することができる。例えば、ユーザーの体温は、通常、＋／−華氏０．０１度／１０分に規定することができる。結果として、体温の変化レートが、１０分ごとに華氏０．０１度変化（増加または減少）する場合、介護者に警報が提供される。
【００５１】
健康モニタリングデバイス１００は、電気化学バイオセンサ１２１によって検出される検査対象についての所定のレベルを有することができる。例えば、以下の検査対象の範囲は、以下を含む。
【００５２】
アルブミンおよびクレアチニン−３０未満のアルブミン（ｍｃｇ／Ｌ）とクレアチニン（ｍｇ／Ｌ）との比は通常である。３０〜３００の比は微量アルブミン尿を意味し、３００を超える比は顕性アルブミン尿を意味する。クレアチニンの異常レベルは、腎不全、心臓発作、および筋肉破壊を示す場合がある。
【００５３】
アスコルビン酸についての通常範囲は約０．６〜約２ｍｇ／ｄＬである。０．３ｍｇ／ｄＬ未満であるアスコルビン酸のレベルは、かなりの不足を示す。長期の不足は壊血病を引き起こす場合がある。過剰の尿アスコルビン酸は腎臓結石を示す場合がある。
【００５４】
ビリルビンは、通常、尿中に存在しない。尿中のビリルビンの存在は、肝臓疾患の早期指標である。
【００５５】
血液は、通常、尿中に見出されない。尿中のヘモグロビンの存在は、ヘモグロビン尿または血尿を示す場合がある。ミオグロビンの存在は筋肉損傷を示す場合がある。血液の存在は、腎臓障害および疾患ならびに尿路疾患を同様に示す場合がある。
【００５６】
グルコースは、通常、尿中に存在しない。糖尿は、異常に高い血糖値の結果である場合がある尿中のグルコースの存在、糖尿病のサインである場合がある。糖尿の他の原因は、ホルモン障害、妊娠、腎臓および肝臓疾患、ならびに糖尿病を含む。
【００５７】
ケトンは、通常、尿中に見出されない。ケトンの存在は、糖尿病を患う人に特徴的である場合がある不十分なインスリンの早期指標である場合がある。
【００５８】
尿中白血球の通常範囲は、高倍率視野内に約０〜約５個の白血球となる。高レベルの白血球は、腎臓または尿路感染などの感染を示す場合がある。
【００５９】
微量アルブミンの通常範囲は約２０〜約２０００ｍｇ／Ｌである。微量アルブミンの異常レベルは、心臓血管および腎臓疾患を示す場合がある。
【００６０】
尿は、通常、亜硝酸塩がない。多くの細菌は、硝酸塩（尿中の通常物質）を亜硝酸塩に変換し得る。したがって、尿中での亜硝酸塩の存在は、細菌の存在または細菌感染を示す場合がある。
【００６１】
尿の典型的なｐＨ値は約ｐＨ６であるが、約４．５〜約８に及ぶ場合がある。腎臓は、身体の酸塩基平衡を維持するときに重要な役割を果たすため、非典型的なｐＨ値は、腎臓問題およびアシドーシスを示す場合がある。
【００６２】
通常、尿中にタンパク質は全く存在しないまたは、わずかな量のタンパク質のみが存在する。測定されるタンパク質の１つはアルブミンである。タンパク尿は、増大したレベルの尿タンパク質である。タンパク尿は、熱、ストレス、および寒冷曝露から生じる場合がある。尿中タンパク質は、心臓血管および腎臓疾患を同様に示す場合がある。
【００６３】
比重は、尿濃度の尺度である。１．０３５の比重は、物質が尿中に溶解した状態の尿である濃縮尿を示す。高い比重（濃縮尿）は、熱、下痢、多汗、嘔吐、肝臓疾患、および心不全を示す場合がある。低い比重（希釈尿）は、抗利尿ホルモン不全、腎臓感染、ならびに、カルシウムおよびカリウム不足を示す場合がある。
【００６４】
ウロビリノーゲンは、通常、尿中に低濃度で存在する。１．０ｍｇ／ｄＬより大きいウロビリノーゲンレベルは肝臓疾患を示す場合がある。
【００６５】
電気化学バイオセンサは、尿、血液、糞便、および月経において見出される検査対象を検出することができる。
【００６６】
好ましくは、電力ユニット１３５は、コイン電池、薄く使い捨て可能な生物学的に安全かつ環境的に安全な電池、または充電式モジュールである。電力ユニット１３５の充電は、有線または無線手段によって行うことができる。
【００６７】
ＬＥＤ１５０は、カラーセンサ１２２が読みを得るための光を提供する。ＬＥＤ１５０は、カラーセンサ１２２が読みを得ている間、少しの間、ターンオンすることになり、その後、ＬＥＤ１５０はターンオフすることになる。好ましくは、ＬＥＤ１５０は、マルチカラー、例えば、ＲＧＢＷ（レッド、グリーン、ブルー、およびホワイト）であることになる。カラーセンサ１２２およびＬＥＤ１５０は別個であることができる。代替的に、カラーセンサ１２２はカラーセンサ１２２の一部としてＬＥＤを有することができる。
【００６８】
好ましくは、健康モニタリングデバイス１００のコンポーネントの任意のコンポーネントの間の任意の接続ワイヤは、ユーザーの快適性および適合性のために柔軟性があるであろう。
【００６９】
例示的な方法、非一過性コンピュータ可読記憶媒体、システム、および電子デバイスは、以下の項目の例の実装態様において述べられる。
【００７０】
項目１．健康モニタリングデバイスであって、
可撓性回路であって、
複数の参照電極を備える電気化学バイオセンサ、
カラーセンサ、ＬＥＤ、および、
水分センサを備える、可撓性回路と、
吸収製品と、
処理ユニットであって、
ＧＰＳアンテナ、
電力ユニット、
ブルートゥース低エネルギー送受信機、ＧＰＳ送受信機、
マイクロコントローラ、および、加速度計を備える、処理ユニットと
を備え、前記処理ユニットは前記可撓性回路に電子的に結合される、健康モニタリングデバイス。
【００７１】
項目２．前記可撓性回路は、温度センサ、
湿度センサ、および、心拍数センサをさらに備える、項目１に記載の健康モニタリングデバイス。
【００７２】
項目３．前記処理ユニットは、温度センサ、
湿度センサ、および、
心拍数センサをさらに備える、項目１に記載の健康モニタリングデバイス。
【００７３】
項目４．前記複数の参照電極のそれぞれは、アルブミン、アスコルビン酸、ビリルビン、血液、クレアチン、グルコース、ヘモグロビン、ケトン、白血球、微量アルブミン、ミオグロビン、亜硝酸塩、ｐＨ、タンパク質、比重、尿素、尿酸、ウロビリノーゲン、ビタミン、およびその組み合わせからなる群から選択される検査対象を検出する、項目２または３に記載の健康モニタリングデバイス。
【００７４】
項目５．データ通信デバイスをさらに備える、項目４に記載の健康モニタリングデバイス。
【００７５】
項目６．前記処理ユニットは入力／出力デバイス接続ポートをさらに備え、前記入力／出力デバイス接続ポートは２次モニタリングデバイスを前記処理ユニットに電子的に結合させる、項目５に記載の健康モニタリングデバイス。
【００７６】
項目７．前記２次モニタリングデバイスは、パルスオキシメーター、血圧モニター、血糖値計、血液凝固計、血中酸素モニター、体温計、無呼吸モニター、心電図モニター、胎児モニター、ヘモグロビントラッカー、呼気分析器、カプノグラフィモニター、フィットネスモニター、歩数計、医療モニター、バイタルサインモニター、心臓モニター、血行力学モニター、呼吸モニター、神経学的モニター、体温モニター、心拍数モニター、呼吸数モニター、ストレスモニター、セロトニンバイオセンサ、てんかんモニター、毒性モニター、水銀モニター、鉛モニター、バイオセンサ、電気化学バイオセンサ、水分センサ、温度センサ、湿度センサ、カラーセンサ、心拍数センサ、加速度計、およびその組み合わせからなる群から選択される、項目６に記載の健康モニタリングデバイス。
【００７７】
項目８．前記２次モニタリングデバイスは血中酸素モニターである、項目７に記載の健康モニタリングデバイス。
【００７８】
項目９．前記可撓性回路および前記処理ユニットは再使用可能であり、健康モニタリングデバイスは、前記可撓性回路および前記処理ユニットを前記吸収製品に付着させる接着手段をさらに備える、項目８に記載の健康モニタリングデバイス。
【００７９】
項目１０．前記可撓性回路および前記処理ユニットは使い捨て可能である、項目８に記載の健康モニタリングデバイス。
【００８０】
項目１１．前記可撓性回路は前記吸収製品と一体形成される、項目１０に記載の健康モニタリングデバイス。
【００８１】
項目１２．健康モニタリングデバイスであって、
可撓性回路であって、
複数の参照電極を備える電気化学バイオセンサ、
カラーセンサ、ＬＥＤ、および、
水分センサを備える、可撓性回路と、
吸収製品と、
処理ユニットであって、
ＧＰＳアンテナ、
電力ユニット、
ブルートゥース低エネルギー送受信機、ＧＰＳ送受信機、
マイクロコントローラ、ＲＯＭチップ、
ＲＡＭチップ、
アナログ・デジタル変換器、デジタル・アナログ変換器、シリアル周辺インタフェース、
ユニバーサル非同期受信機／送信機、電力調節器、および、
加速度計を備える、処理ユニットと、
を備え、前記処理ユニットは前記可撓性回路に電子的に結合される、健康モニタリングデバイス。
【００８２】
項目１３．前記可撓性回路は、温度センサ、
湿度センサ、および、心拍数センサをさらに備える、項目１２に記載の健康モニタリングデバイス。
【００８３】
項目１４．前記処理ユニットは、温度センサ、湿度センサ、および、心拍数センサをさらに備える、項目１２に記載の健康モニタリングデバイス。
【００８４】
項目１５．前記複数の参照電極のそれぞれは、アルブミン、アスコルビン酸、ビリルビン、血液、クレアチン、グルコース、ヘモグロビン、ケトン、白血球、微量アルブミン、ミオグロビン、亜硝酸塩、ｐＨ、タンパク質、比重、尿素、尿酸、ウロビリノーゲン、ビタミン、およびその組み合わせからなる群から選択される検査対象を検出する、項目１３または１４に記載の健康モニタリングデバイス。
【００８５】
項目１６．データ通信デバイスをさらに備える、項目１５に記載の健康モニタリングデバイス。
【００８６】
項目１７．前記処理ユニットは入力／出力デバイス接続ポートをさらに備え、前記入力／出力デバイス接続ポートは２次モニタリングデバイスを前記処理ユニットに電子的に結合させる、項目１６に記載の健康モニタリングデバイス。
【００８７】
項目１８．前記２次モニタリングデバイスは、パルスオキシメーター、血圧モニター、血糖値計、血液凝固計、血中酸素モニター、体温計、無呼吸モニター、心電図モニター、胎児モニター、ヘモグロビントラッカー、呼気分析器、カプノグラフィモニター、フィットネスモニター、歩数計、医療モニター、バイタルサインモニター、心臓モニター、血行力学モニター、呼吸モニター、神経学的モニター、体温モニター、心拍数モニター、呼吸数モニター、ストレスモニター、セロトニンバイオセンサ、てんかんモニター、毒性モニター、水銀モニター、鉛モニター、バイオセンサ、電気化学バイオセンサ、水分センサ、温度センサ、湿度センサ、カラーセンサ、心拍数センサ、加速度計、およびその組み合わせからなる群から選択される、項目１７に記載の健康モニタリングデバイス。
【００８８】
項目１９．前記２次モニタリングデバイスは血中酸素モニターである、項目１８に記載の健康モニタリングデバイス。
【００８９】
項目２０．前記可撓性回路および前記処理ユニットは再使用可能であり、健康モニタリングデバイスは、前記可撓性回路および前記処理ユニットを前記吸収製品に付着させる接着手段をさらに備える、項目１９に記載の健康モニタリングデバイス。
【００９０】
項目２１．前記可撓性回路および前記処理ユニットは使い捨て可能である、項目１９に記載の健康モニタリングデバイス。
【００９１】
項目２２．前記可撓性回路は前記吸収製品と一体形成される、項目２１に記載の健康モニタリングデバイス。
【００９２】
項目２３．少なくとも１つのプロセッサユニットと、
前記少なくとも１つのプロセッサユニットに結合された少なくとも１つのメモリユニットと、
前記メモリにおいて具現化され、前記プロセッサユニットによって実行可能なコンピュータ可読命令と、を備えるコンピュータシステムであって、
前記プロセッサユニットによる前記命令の実行は、健康モニタリングデバイスのユーザーの健康をモニターする方法を、コンピューティングシステムに実施させ、前記方法は、
健康モニタリングデバイスから健康データを取得することであって、前記健康モニタリングデバイスは、
可撓性回路であって、
複数の参照電極を備える電気化学バイオセンサ、
カラーセンサ、
ＬＥＤ、および、
水分センサを備える、可撓性回路と、
吸収製品と、
処理ユニットであって、
ＧＰＳアンテナ、
電力ユニット、
ブルートゥース低エネルギー送受信機、ＧＰＳ送受信機、
マイクロコントローラ、および、加速度計を備える、処理ユニットと
を備え、前記処理ユニットは前記可撓性回路に電子的に結合される、健康モニタリングデバイスから健康データを取得することと、前記健康データを前記メモリユニット上に記録することと、前記健康データをデータ通信デバイスに送信することと、前記データ通信デバイス上で前記健康データを表示することとを含む、コンピュータシステム。
【００９３】
項目２４．前記可撓性回路は、温度センサ、
湿度センサ、および、心拍数センサをさらに備える、項目２３に記載のコンピュータシステム。
【００９４】
項目２５．前記処理ユニットは、温度センサ、
湿度センサ、および、心拍数センサをさらに備える、項目２３に記載のコンピュータシステム。
【００９５】
項目２６．前記健康モニタリングデバイスは血中酸素モニターをさらに備え、前記血中酸素モニターは前記可撓性回路に電子的に結合される、項目２４または２５に記載のコンピュータシステム。
【００９６】
項目２７．前記健康データを前記取得すること、前記記録すること、前記送信すること、および前記表示することは、規則的な所定の間隔で繰り返し実施される、項目２６に記載のコンピュータシステム。
【００９７】
項目２８．前記方法は、前記健康データが所定のレベルから外れる場合、警報を発することをさらに含む、項目２７に記載のコンピュータシステム。
【００９８】
項目２９．前記方法は、健康データの変化レートが所定のレートから外れる場合、警報を発することをさらに含む、項目２７に記載のコンピュータシステム。
【００９９】
項目３０．健康モニタリングデバイスのユーザーの健康をモニターする方法であって、
健康モニタリングデバイスであって、
可撓性回路であって、
複数の参照電極を備える電気化学バイオセンサ、
カラーセンサ、ＬＥＤ、および、
水分センサを備える、可撓性回路と、
吸収製品と、
処理ユニットであって、
ＧＰＳアンテナ、
電力ユニット、
ブルートゥース低エネルギー送受信機、ＧＰＳ送受信機、
マイクロコントローラ、および、
加速度計を備える、処理ユニットと、
を備え、前記処理ユニットは前記可撓性回路に電子的に結合される、健康モニタリングデバイスから健康データを取得することと、前記健康データを前記メモリユニット上に記録することと、前記健康データをデータ通信デバイスに送信することと、前記データ通信デバイス上で前記健康データを表示することとを含む、方法。
【０１００】
項目３１．前記可撓性回路は、温度センサ、
湿度センサ、および、
心拍数センサをさらに備える、項目３０に記載の方法。
【０１０１】
項目３２．前記処理ユニットは、温度センサ、
湿度センサ、および、心拍数センサをさらに備える、項目３０に記載の方法。
【０１０２】
項目３３．前記健康モニタリングデバイスは血中酸素モニターをさらに備え、前記血中酸素モニターは前記可撓性回路に電子的に結合される、項目３１または３２に記載の方法。
【０１０３】
項目３４．前記健康データを前記取得すること、前記記録すること、前記送信すること、および前記表示することは、規則的な所定の間隔で繰り返し実施される、項目３３に記載の方法。
【０１０４】
項目３５．前記方法は、前記健康データが所定のレベルから外れる場合、警報を発することをさらに含む、項目３４に記載の方法。
【０１０５】
項目３６．前記方法は、健康データの変化レートが所定のレートから外れる場合、警報を発することをさらに含む、項目３４に記載の方法。
【０１０６】
項目３７．非一過性コンピュータ可読媒体であって、非一過性コンピュータ可読媒体において具現化されたコンピュータ可読命令を有し、前記コンピュータ可読命令は、実行されると、健康モニタリングデバイスのユーザーの健康をモニターする方法を実装するように構成され、前記方法は、
健康モニタリングデバイスであって、
可撓性回路であって、
複数の参照電極を備える電気化学バイオセンサ、
カラーセンサ、ＬＥＤ、および、
水分センサを備える、可撓性回路と、
吸収製品と、
処理ユニットであって、
ＧＰＳアンテナ、
電力ユニット、
ブルートゥース低エネルギー送受信機、
ＧＰＳ送受信機、
マイクロコントローラ、および、加速度計を備える、処理ユニットと、
を備え、前記処理ユニットは前記可撓性回路に電子的に結合される、健康モニタリングデバイスから健康データを取得することと、前記健康データを前記メモリユニット上に記録することと、前記健康データをデータ通信デバイスに送信することと、前記データ通信デバイス上で前記健康データを表示することとを含む、非一過性コンピュータ可読媒体。
【０１０７】
項目３８．前記可撓性回路は、
温度センサ、
湿度センサ、および、
心拍数センサをさらに備える、項目３７に記載の非一過性コンピュータ可読媒体。
【０１０８】
項目３９．前記処理ユニットは、
温度センサ、
湿度センサ、および、
心拍数センサをさらに備える、項目３７に記載の非一過性コンピュータ可読媒体。
【０１０９】
項目４０．前記健康モニタリングデバイスは血中酸素モニターをさらに備え、前記血中酸素モニターは前記可撓性回路に電子的に結合される、項目３８または３９に記載の非一過性コンピュータ可読媒体。
【０１１０】
項目４１．前記健康データを前記取得すること、前記記録すること、前記送信すること、および前記表示することは、規則的な所定の間隔で繰り返し実施される、項目４０に記載の非一過性コンピュータ可読媒体。
【０１１１】
項目４２．前記方法は、前記健康データが所定のレベルから外れる場合、警報を発することをさらに含む、項目４１に記載の非一過性コンピュータ可読媒体。
【０１１２】
項目４３．前記方法は、健康データの変化レートが所定のレートから外れる場合、警報を発することをさらに含む、項目１１に記載の非一過性コンピュータ可読媒体。
【０１１３】
項目４４．個人の健康状態をモニターするためのコンピュータ実装式方法であって、
使い捨て可能物品の第１のセンサを使用して、事象の発生を検出することであって、前記事象は身体老廃物の排泄に対応する、検出することと、
事象の前記発生を検出することに応答して、前記第１のセンサと異なる前記使い捨て可能物品の第２のセンサを起動することと、
前記第２のセンサを使用して、前記身体老廃物に関連するカラー情報を取得(capture)することと、
前記取得したカラー情報に基づいて、複数の所定の事象タイプから事象タイプを識別することと、
前記識別された事象タイプを示す出力を提供することと
を含む、方法。
【０１１４】
項目４５．前記事象は、排尿、出血、月経、他の体液の排泄、排便、ガスの通過、または、その任意の組み合わせを含む、項目４４に記載の方法。
【０１１５】
項目４６．前記身体老廃物は、尿、血液、他の体液、糞便、ガス、または、その任意の組み合わせを含む、項目４４または４５に記載の方法。
【０１１６】
項目４７．前記第１のセンサは、水分センサ、湿度センサ、または両方を備える、項目４４から４６のいずれか一項に記載の方法。
【０１１７】
項目４８．前記第２のセンサは、カラーセンサ、ＬＥＤユニット、またはその組み合わせを備える、項目４４から４７のいずれか一項に記載の方法。
【０１１８】
項目４９．カラー情報を取得することは、前記使い捨て可能物品の一部分のカラー情報を取得することを含む、項目４４から４８のいずれか一項に記載の方法。
【０１１９】
項目５０．カラー情報を取得することは、前記身体老廃物のカラー情報を取得することを含む、項目４４から４９のいずれか一項に記載の方法。
【０１２０】
項目５１．前記使い捨て可能物品の電気化学バイオセンサを使用して、前記身体老廃物内の検査対象のレベルを検出することと、
前記身体老廃物内の前記検査対象のレベルに基づいて、複数の所定の状態のうちの１つの状態を決定することと、
前記決定された状態を示す出力を提供することと
をさらに含む、項目４４から５０のいずれか一項に記載の方法。
【０１２１】
項目５２．温度センサを使用して、温度の読みを検出することと、
前記温度の読みに基づいて、複数の所定の状態のうちの１つの状態を決定することと、
前記決定された状態を示す出力を提供することと
をさらに含む、項目４４から５１のいずれか一項に記載の方法。
【０１２２】
項目５３．前記使い捨て可能物品は心拍数モニターをさらに備える、項目４４から５２のいずれか一項に記載の方法。
【０１２３】
項目５４．前記使い捨て可能物品は加速度計またはジャイロスコープをさらに備える、項目４４から５３のいずれか一項に記載の方法。
【０１２４】
項目５５．１つまたは複数のプログラムを記憶する非一過性コンピュータ可読記憶媒体であって、前記１つまたは複数のプログラムは命令を含み、前記命令は、ディスプレイを有する電子デバイスの１つまたは複数のプロセッサによって実行されると、
使い捨て可能物品の第１のセンサを使用して、事象の発生を検出することであって、前記事象は身体老廃物の排泄に対応する、検出することと、
事象の前記発生を検出することに応答して、前記第１のセンサと異なる前記使い捨て可能物品の第２のセンサを起動することと、
前記第２のセンサを使用して、前記身体老廃物に関連するカラー情報を取得(capture)することと、
前記取得したカラー情報に基づいて、複数の所定の事象タイプから事象タイプを識別することと、
前記識別された事象タイプを示す出力を提供することと
を前記電子デバイスにさせる、非一過性コンピュータ可読記憶媒体。
【０１２５】
種々の例示的な実施形態が本明細書で述べられる。非制限的な意味でこれらの例に対して参照が行われる。これらの例は、開示される技術のより広く適用可能な態様を示すために提供される。種々の実施形態の真の趣旨および範囲から逸脱することなく、種々の変更を行うことができ、また、等価物に置き換えることができる。さらに、多くの修正が、種々の実施形態の目的（複数可）、趣旨、または範囲に対して(to)、特定の状況、材料、組成物、プロセス、プロセス行為（複数可）またはステップ（複数可）を適応させるために行うことができる。さらに、当業者によって認識されるように、本明細書で述べられ示される個々の変形のそれぞれは、離散的コンポーネントおよび特徴を有し、離散的コンポーネントおよび特徴は、種々の実施形態の趣旨または範囲から逸脱することなく、容易に、他の幾つかの実施形態の任意の実施形態の特徴から分離するまたはそれと組み合わせることができる。
【図１】
2020533151.tif 000003
【図２】
2020533151.tif 000004
【図３】
2020533151.tif 000005
【図４Ａ】
2020533151.tif 000006
【図４Ｂ】
2020533151.tif 000007
【図５】
2020533151.tif 000008
【図６】
2020533151.tif 000009
【国際調査報告】
2020533151.tif 000010
2020533151.tif 000011
2020533151.tif 000012